(57)【要約】      （修正有）【課題】奥行寸法が異なる数種類の電池パックのいずれかを取付けた携帯無線機を充電器に装着して充電する際に、簡単な構造で、誤挿入や接触不良による充電不良を生じないようにする。【解決手段】左側内壁と右側内壁にガイドリブ２０９を備えた収納部２０を有する充電器２に装着されて充電される電池パック１２を背面側に取付けた携帯無線機１ｂであって、携帯無線機１ｂは、左側面と右側面の下端に誤装着防止リブ１２７を備え、誤装着防止リブ１２７の前面側端部１２７ａがガイドリブの背面側端面２０９ｂに沿って装着可能であり、携帯無線機１ｂの筺体の前面１０１と誤装着防止リブ１２７の背面側端部１２７ｂとの間の寸法Ａが、充電器２の収納部２０の前面側内壁２０１とガイドリブ２０９の前面側端面２０９ａとの間の寸法Ｂよりも大きくなるように形成されている。【選択図】図４
2014064050.tif 000002
【特許請求の範囲】
【請求項１】
凹状に形成された収納部の左右それぞれの内壁に鉛直方向に形成された凸状のガイドリブを備えた充電器に装着する携帯無線機において、
前記携帯無線機は無線機本体と同無線機本体の背面側の下部に取付けられた電池パックからなる直方体形状であり、
前記電池パックは左右それぞれの側面の下部に水平方向に形成された凸状の誤装着防止リブを備え、
前記携帯無線機の前面と前記誤装着防止リブの背面側端部との間の寸法が、前記充電器の前記収納部の前側の内壁と前記ガイドリブとの間の寸法よりも大きくなるように形成されていることを特徴とする携帯無線機。
【請求項２】
前記電池パックは前記誤装着防止リブの上部で同誤装着防止リブの前面側端部に合わせて垂直に延びる位置決めリブを備えたことを特徴とする請求項１記載の携帯無線機。
【請求項３】
前記電池パックは奥行寸法が異なる複数種類の電池パックを取付可能としたことを特徴とする請求項１または請求項２記載の携帯無線機。
【発明の詳細な説明】
【技術分野】
【０００１】
本発明は、携帯無線機に関し、特に、充電器に装着して充電される電池パックを取付けた携帯無線機に関する。
【背景技術】
【０００２】
携帯無線機は、充電容量が大きい第一電池パックまたは充電容量が小さい第二電池パックのいずれかを選択し、無線機本体の背面側に取付けることができるものがある。このような第一電池パックは、第二電池パックよりも奥行が大きくなり、これに伴い、第一電池パックを取付けた携帯無線機の奥行が、第二電池パックを取付けた携帯無線機の奥行よりも大きくなる。一方、充電器は、第一電池パックまたは第二電池パックを充電するための収納部を備えている。充電器の収納部は、第一電池パックと第二電池パックの両方に対応できるように、第一電池パックを取付けた携帯無線機の幅および奥行のサイズに合わせた形状に形成されている。
【０００３】
このような携帯無線機は、充電の際に、第一電池パックまたは第二電池パックの背面側に備えられた受電端子を充電器の収納部の背面側に備えられた給電端子に接続する必要があることから、電池パックと充電器の収納部の両方に各端子の接続を保持するための位置決め部を備えている。第一電池パックと第二電池パックに備えられた各位置決め部は、受電端子から一定の距離で同一箇所に形成されている。また、充電器の収納部に備えられた位置決め部は、給電端子から一定の距離で第一電池パックと第二電池パックに備えられた各位置決め部に対応する箇所に形成されている。このため、第二電池パックを取付けた携帯無線機が充電器の収納部に挿入された場合には、この収納部の前面側に余分な空間ができることになる。
【０００４】
この種の携帯無線機に取付けられた電池パックを充電するための充電器の一例として、ユーザーが充電器の収納部の前面側に装着できるスペーサを付加することで、第二電池パックを取付けた携帯無線機を充電器に挿入したときに生じる余分な空間をなくすことができるようにしたものがある（例えば、特許文献１参照）。この特許文献１による充電器においては、第二電池パックを取付けた携帯無線機が、充電器の収納部に備えられた位置決め部の手前側に挿入されたり、充電器の収納部に備えられた位置決め部に対して斜めに挿入されたりするなどの誤挿入を防止することができる。この結果、電池パックに備えられた受電端子と充電器の収納部に備えられた給電端子の接触不良による充電不良を起こさないようにしている。
【０００５】
しかしながら、このように構成された充電器では、別途スペーサが必要となることからコストアップとなり、かつ、スペーサを充電器の収納部に装着する手間もかかるという問題点があった。
【先行技術文献】
【特許文献】
【０００６】
【特許文献１】特開２００４−９５４８５号公報
【発明の概要】
【発明が解決しようとする課題】
【０００７】
本発明は上記問題点に鑑み、奥行寸法が異なる数種類の電池パックのいずれかを取付けた携帯無線機を充電器に装着して充電する際に、スペーサのような別部品を必要とせずに、簡単な構造で、誤挿入や接触不良による充電不良を生じないようにすることができる携帯無線機を提供することを目的とする。
【課題を解決するための手段】
【０００８】
上記課題を解決するため、本発明の携帯無線機は、凹状に形成された収納部の左右それぞれの内壁に鉛直方向に形成された凸状のガイドリブを備えた充電器に装着する携帯無線機において、携帯無線機は無線機本体と無線機本体の背面側の下部に取付けられた電池パックからなる直方体形状であり、電池パックは左右それぞれの側面の下部に水平方向に形成された凸状の誤装着防止リブを備え、携帯無線機の前面と誤装着防止リブの背面側端部との間の寸法が、充電器の収納部の前側の内壁とガイドリブとの間の寸法よりも大きくなるように形成されている。
【発明の効果】
【０００９】
本発明の携帯無線機によれば、携帯無線機の前面と誤装着防止リブの背面側端部との間の寸法が、充電器の収納部の前側の内壁とガイドリブとの間の寸法よりも大きくなるように形成されている。このため、収納部に対して、電池パックを取付けた携帯無線機の奥行が収納部よりも小さい場合でも、誤った位置に挿入しようとすると、必ず誤装着防止リブがガイドリブに当たり、ガイドリブの前方の空間に挿入されたり、ガイドリブに対して斜めに挿入されたりするのを防止することができる。したがって、電池パックを取付けた携帯無線機を充電器に装着して充電する際に、スペーサのような別部品を必要とせずに、簡単な構造で、誤挿入や接触不良による充電不良を生じないようにすることができる。
【図面の簡単な説明】
【００１０】
【図１】本発明による携帯無線機において、第一電池パックを取付けた携帯無線機を示す説明図で、（ａ）は右側面図、（ｂ）は背面図、（ｃ）は斜視図である。
【図２】本発明による携帯無線機において、第二電池パックを取付けた携帯無線機を示す説明図で、（ａ）は右側面図、（ｂ）は背面図、（ｃ）は斜視図である。
【図３】本発明による携帯無線機に取付けられた電池パックを充電する充電器を示す説明図で、（ａ）は上面図、（ｂ）は（ａ）のＡ−Ａ断面図、（ｃ）は携帯無線機１ａを装着した状態を示す図である。
【図４】第二電池パックを取付けた携帯無線機を充電器に装着する状態を示す説明図で、（ａ）は携帯無線機が充電器の収納部の前側にある状態を示す部分断面図、（ｂ）は携帯無線機が充電器の収納部の中央にある状態を示す部分断面図、（ｃ）は携帯無線機が充電器の収納部の後側にある状態を示す部分断面図、（ｄ）は携帯無線機が充電器の収納部の後側に挿入された状態を示す部分断面図である。
【発明を実施するための形態】
【００１１】
以下、本発明の実施形態を添付図面に基づき詳細に説明する。本実施形態による携帯無線機およびその充電器として、図１乃至図３に示すように、充電容量と奥行が大きい第一電池パック１１を取付けた携帯無線機１ａと、充電容量と奥行が小さい第二電池パック１２を取付けた携帯無線機１ｂと、携帯無線機１ａ、１ｂに取付けられた第一電池パック１１または第二電池パック１２を充電するための収納部２０を備える充電器２とを例に挙げて説明する。
【００１２】
携帯無線機１ａ、１ｂは、図１および図２に示すように、無線機本体１０と、無線機本体１０の背面側の下部に取付けられた第一電池パック１１または第二電池パック１２とからなる直方体形状である。図１は第一電池パック１１を取付けた携帯無線機１ａを示し、図２は第二電池パック１２を取付けた携帯無線機１ｂを示している。なお、第一電池パック１１と第二電池パック１２は、無線機本体１０に着脱可能になっている。無線機本体１０については携帯無線機１ａ、１ｂで同じ物であるため、まずは図１を用いて無線機本体１０について説明する。なお、以下の説明において、上下、左右、前後などの方向を示す表現は、図１（ｃ）や図２（ｃ）に示す斜視図を基準にしている。また、図１と図２とでは、異なる部品以外は同じ番号を付している。
【００１３】
無線機本体１０の筺体は、前面カバー１００と背面カバー１０６とで構成されている。前面カバー１００は、合成樹脂材で形成されており、携帯無線機１ａの筐体として、前面１０１、前方側の左側面１０２と右側面１０３、および、前方側の上面１０４と下面１０５を構成している。また、背面カバー１０６は、合成樹脂材で形成されており、携帯無線機１ａの筐体として、上部の背面１０７、後方側上部の左側面１０２と右側面１０３、および、後方側の上面１０４を構成している。
【００１４】
前面カバー１００の前面１０１の略中央部には、液晶画面からなる表示部１０１ａが備えられており、表示部１０１ａの上方には音声出力部１０１ｂが、表示部１０１ａの下方には機能切り換え等を行うための操作部１０１ｃが、それぞれ備えられている。また、前面カバー１００の左側面１０２の上方には、送受信の際のバンド幅の切り換え等を行うための側面操作部１０２ａが設けられている。また、前面カバー１００の右側面１０３の上方には、マイク等の外部機器を接続する外部機器接続部１０３ａが設けられている。
【００１５】
また、無線機本体１０の筐体の上面１０４には、アンテナ１０４ａと、電源のオンオフおよびボリューム調整を行う電源つまみ１０４ｂと、無線チャンネルの切り替えを行うチャンネル切替つまみ１０４ｃとが設けられている。
【００１６】
次に、第一電池パック１１は、充電池を合成樹脂材でパッケージ化した縦長矩形状のケース本体を装着した時に、携帯無線機１ａの筺体の下部の背面１１０、後方側下部の左側面１１５と右側面１１６、および、後方側の下面１１２を構成する。第一電池パック１１は、背面１１０の下端に配置された複数の受電端子１１１と、左側面１１５および右側面１１６の下端に水平方向に延びて凸状に形成された誤装着防止リブ１１７と、誤装着防止リブ１１７の上部で誤装着防止リブ１１７の前面側端部１１７ａに合わせて鉛直方向に延びて凸状に形成された位置決めリブ１１８とを備えている。
【００１７】
また、図２に示す第二電池パック１２は、第一電池パック１１と同様に、携帯無線機１ｂの筺体の下部の背面１２０、後方側下部の左側面１２５と右側面１２６、および、後方側の下面１２２を構成する。第二電池パック１２は、充電容量と奥行が第一電池パック１１よりも小さくなっており、背面１２０の下端に配置された複数の受電端子１２１と、左側面１２５および右側面１２６の下端に水平方向に延びて凸状に形成された誤装着防止リブ１２７と、誤装着防止リブ１２７の上部で誤装着防止リブ１２７の前面側端部１２７ａに合わせて垂直に延びて凸状に形成された位置決めリブ１２８とを備えている。
【００１８】
受電端子１１１と受電端子１２１はそれぞれ、背面１１０と背面１２０の同一箇所に配置されている。また、第一電池パック１１と第二電池パック１２は容量の違いにより奥行が異なるが、誤装着防止リブ１１７と誤装着防止リブ１２７はそれぞれ、背面１１０と背面１２０から同じ寸法の距離を置いて形成されている。誤装着防止リブ１１７、誤装着防止リブ１２７はそれぞれ、位置決めリブ１１８、位置決めリブ１２８と連続して形成され、Ｌ字形状になっている。
【００１９】
充電器２は、図３（ｃ）に示すように、全体が箱状で携帯無線機１ａの下部形状に合わせて断面が長方形の凹状に形成した収納部２０が設けられている。収納部２０は、携帯無線機１ａの下部を装着した際に適度な遊びをもって固定されるように、携帯無線機１ａの幅および奥行のサイズに合わせた形状に形成されている。
【００２０】
図３（ａ）、図３（ｂ）に示すように、収納部２０は、上面側に携帯無線機１ａ、１ｂを挿入する挿入口２００と、受電端子１１１または受電端子１２１に対応する位置の背面側内壁２０２に配置された複数の給電端子２０３と、左側内壁２０７および右側内壁２０８の下端から挿入口２００まで鉛直方向に延びて凸状に形成されたガイドリブ２０９とを備えている。収納部２０の底面には、背面側内壁２０２の下端に間隔を開けて凸状に形成された支持部２０４と支持部２０５を備え、前面側内壁２０１の下端側に近い位置に凸状に形成された支持部２０６を備えている。支持部２０４と支持部２０５と支持部２０６は、それぞれ同じ高さで上面が面一に形成されている。
【００２１】
ガイドリブ２０９は、前面側端面２０９ａと背面側端面２０９ｂを有する柱状に形成されており、図３（ｃ）に示すように、誤装着防止リブ１１７の前面側端部１１７ａと携帯無線機１ａの筺体の背面１１０との間の寸法Ｃと、ガイドリブ２０９の背面側端面２０９ｂと給電端子２０３との間の寸法Ｄと等しくなるように形成されている。
【００２２】
この構成により、ガイドリブ２０９に合わせて携帯無線機１ａを収納部２０に装着する時は、ガイドリブ２０９の背面側端面２０９ｂに沿って、誤装着防止リブ１１７の前面側端部１１７ａを入れ、位置決めリブ１１８を挿入することで、遊びがなく倒れずに装着され、受電端子１１１を給電端子２０３に接続できる。
収納部２０に装着された携帯無線機１ａは、図３（ｃ）に示すように、携帯無線機１ａの筺体の下面１０５が、収納部２０の底面に形成された支持部２０４、支持部２０５および支持部２０６に当接し直立した状態で支持される。なお、前述したように、第一電池パック１１、第二電池パック１２の誤装着防止リブ１１７、１２７は同じ位置に配置されているため、携帯無線機１ｂも同様の構成となる。
【００２３】
次に、図４を用いて、第二電池パック１２を取付けた携帯無線機１ｂを充電器２の収納部２０に装着する様子を説明する。なお、収納部２０は、第一電池パック１１を取付けた携帯無線機１ａに合わせた形状になっているため、第二電池パック１２を取付けた携帯無線機１ｂの形状よりも大きく形成されている。
【００２４】
図４（ａ）に示すように、側面視において、携帯無線機１ｂの筺体の前面１００と誤装着防止リブ１２７の背面側端部１２７ｂとの間の寸法Ａが、収納部２０の前面側内壁２０１とガイドリブ２０９の前面側端面２０９ａとの間の寸法Ｂよりも大きくなるように形成されている。これにより、携帯無線機１ｂを収納部２０の前側付近に挿入しようとしても、誤装着防止リブ１２７の下端がガイドリブ２０９の上端に突き当たり阻止される。この結果、携帯無線機１ｂが収納部２０に対してガイドリブ２０９の前面側端面２０９ａ側の空間に挿入されるのを防止することができる。
【００２５】
また、図４（ｂ）に示すように、携帯無線機１ｂを収納部２０の中央付近に挿入しようとしても、誤装着防止リブ１２７の下端がガイドリブ２０９の上端に突き当たり阻止される。この結果、携帯無線機１ｂが収納部２０のガイドリブ２０９に対して斜めに挿入されるのを防止することができる。
【００２６】
そして、図４（ｃ）に示すように、携帯無線機１ｂが収納部２０の後側付近にある場合、誤装着防止リブ１２７の下端がガイドリブ２０９の上端に導かれて挿入でき、位置決めリブ１２８がガイドリブ２０９の背面側端面２０９ｂに沿って収納部２０内にガイドすることができる。
位置決めリブ１２８は上端を前方にして傾斜しており、ガイドリブ２０９も位置決めリブ１２８に合わせて傾斜しており、ガイドをより行い易くなっている。この結果、図４（ｄ）に示すように、携帯無線機１ｂを収納部２０に対してガイドリブ２０９の背面側端面２０９ｂ側の適切な空間に挿入することができる。
【００２７】
したがって、本発明による携帯無線機によれば、奥行の小さい第二電池パック１２を取付けた携帯無線機１ｂを、奥行の大きい携帯無線機１ａに合わせた充電器２に、背景技術に示すスペーサのような別部品を必要とせずに装着でき、簡単な構造で安定した充電が可能となり、受電端子１２１と給電端子２０３との接触不良による充電不良を生じさせない。
【００２８】
なお、本実施形態による携帯無線機は、第一電池パック１１または第二電池パック１２を選択可能に背面側に取付けられるようにしたが、本発明はこれに限らず、充電容量と奥行が異なる複数種類の電池パックを選択可能に背面側に取付けられるようにしてもよい。この場合には、充電器は、最大の奥行を有する電池パックを取付けた携帯無線機のサイズに合わせた収納部を備え、最小の奥行を有する電池パックを取付けた携帯無線機の筺体の前面と電池パックの誤装着防止リブの背面側端部との間の寸法が、収納部の前面側内壁とガイドリブの前面側端面との間の寸法よりも大きくなるように形成すればよい。
【００２９】
また、本実施形態による携帯無線機では、誤装着防止リブ１１７、誤装着防止リブ１２７はそれぞれ、位置決めリブ１１８、位置決めリブ１２８と連続して形成されているが、本発明はこれに限らず、別々に形成されてもよい。さらに、誤装着防止リブ１１７、誤装着防止リブ１２７はそれぞれ、位置決めリブ１１８、位置決めリブ１２８と連続して形成され、Ｌ字形状になっているが、本発明はこれに限らず、直角三角形状や四角形状でもよい。
【符号の説明】
【００３０】
１ａ、１ｂ  携帯無線機
１０  無線機本体
１００  前面カバー
１０１  前面
１１  第一電池パック
１２  第二電池パック
１１０、１２０  背面
１１１、１２１  受電端子
１１５、１２５  左側面
１１６、１２６  右側面
１１７、１２７  誤装着防止リブ
１１７ａ、１２７ａ  前面側端部
１１７ｂ、１２７ｂ  背面側端部
１１８、１２８  位置決めリブ
２  充電器
２０  収納部
２０１  前面側内壁
２０３  給電端子
２０７  左側内壁
２０８  右側内壁
２０９  ガイドリブ
２０９ａ  前面側端面
２０９ｂ  背面側端面
Ａ  前面１００と背面側端部１２７ｂとの間の寸法
Ｂ  前面側内壁２０１と前面側端面２０９ａとの間の寸法
Ｃ  前面側端部１２７ａと背面１２０との間の寸法
Ｄ  背面側端面２０９ｂと給電端子２０３との間の寸法
【図１】
2014064050.tif 000003
【図２】
2014064050.tif 000004
【図３】
2014064050.tif 000005
【図４】
2014064050.tif 000006